(57)【要約】【課題】色相の回転及び色付の不自然さを最適に調整したニー補正処理を行う。【解決手段】ニー補正回路１０は、Ｒ，Ｇ，Ｂのそれぞれに対して独立にニー補正を行うＲＧＢニー補正回路１１と、輝度信号に応じたニー補正を行う輝度ニー補正回路１２と、彩度絞り回路１３と、合成回路１４とを備えている。合成回路１４には、ＲＧＢニー補正がされた映像信号と、輝度ニー補正がされた映像信号とが入力される。合成回路１４は、入力された２つの映像信号を、所定又はユーザにより適応的に設定された混合比Ｇｂで合成する。【選択図】図２
2006148368.tif 000002
【特許請求の範囲】
【請求項１】
映像信号に対して、色成分毎に独立のニー補正を行う第１のニー補正手段と、
映像信号に対して、輝度成分に応じたニー補正を行う第２のニー補正手段と、
上記第１のニー補正手段から出力された映像信号と、上記第２のニー補正手段から出力された映像信号とを合成する合成手段とを備え、
上記第１のニー補正手段と上記第２のニー補正手段は、入力された同一の映像信号に対して並列に処理を行い、
上記合成手段は、所定の比率又は適応的に設定された比率に応じて２つの映像信号を合成して出力すること
を特徴とする映像信号処理装置。
【請求項２】
上記第１のニー補正手段は、
入力された映像信号に対してローパスフィルタリングを行い、ローパスフィルタリングされた後の映像信号に対して、色成分毎に独立のニー補正を行うニー補正演算部と、
入力された映像信号から上記ローパスフィルタリングされた後の映像信号を減算して、高域成分の映像信号を生成する高域成分生成部と、
上記高域成分の映像信号に対してゲインを乗算して、上記ニー補正演算部から出力された映像信号に加算する加算部とを備え、
上記加算部から出力された映像信号を、ニー補正がされた映像信号として出力すること
を特徴とする請求項１記載の映像信号処理装置。
【請求項３】
上記第２のニー補正手段から出力された映像信号に対して、各色のレベルがそれぞれ飽和レベル以下となるように、彩度を維持したレベル調整を行う彩度絞り手段を、さらに備え、
上記合成手段は、上記第１のニー補正手段から出力された映像信号と、上記彩度絞り手段から出力された映像信号とを合成すること
を特徴とする請求項１記載の映像信号処理装置。
【請求項４】
上記彩度絞り手段は、
入力された映像信号から輝度成分を算出する輝度成分算出部と、
入力された映像信号の各色成分から上記輝度成分を減算する減算部と、
輝度成分が減算された映像信号に対して彩度絞り係数を乗算する乗算部と、
彩度絞り係数が乗算された映像信号に対して上記輝度成分を加算する加算部と、
各色のレベルがそれぞれ飽和レベル以下となるように、上記彩度絞り係数を算出する彩度絞り係数算出部とを有し、
上記彩度絞り係数算出部は、
入力された映像信号に対してローパスフィルタリングを行った信号、及び、輝度成分をローパスフィルタリングした信号に基づき、上記彩度絞り係数を算出すること
を特徴とする請求項３記載の映像信号処理装置。
【請求項５】
色成分毎に独立のニー補正を行う第１のニー補正処理並びに輝度成分に応じたニー補正を行う第２のニー補正処理を、入力された映像信号に対して並列に行い、
第１のニー補正処理がされた映像信号と第２のニー補正処理がされた映像信号とを、所定の比率又は適応的に設定された比率に応じて合成すること
を特徴とする映像信号処理方法。
【請求項６】
上記第１のニー補正処理では、
入力された映像信号に対してローパスフィルタリングを行い、ローパスフィルタリングされた後の映像信号に対して、色成分毎に独立のニー補正を行い、
入力された映像信号から上記ローパスフィルタリングされた後の映像信号を減算して、高域成分の映像信号を生成し、
上記高域成分の映像信号に対してゲインを乗算して、色成分毎に独立のニー補正がされた映像信号に加算すること
を特徴とする請求項５記載の映像信号処理方法。
【請求項７】
上記第２のニー補正処理がされた映像信号に対して、各色のレベルがそれぞれ飽和レベル以下となるように、彩度を維持したレベル調整を行い、
第１のニー補正処理がされた映像信号と彩度を維持したレベル調整がされた映像信号とを、所定の比率又は適応的に設定された比率に応じて合成すること
を特徴とする請求項５記載の映像信号処理方法。
【請求項８】
入力された映像信号から輝度成分を算出し、入力された映像信号の各色成分から上記輝度成分を減算し、輝度成分が減算された映像信号に対して彩度絞り係数を乗算し、彩度絞り係数が乗算された映像信号に対して上記輝度成分を加算することによって、彩度を維持したレベル調整を行い、
上記彩度絞り係数を、各色のレベルがそれぞれ飽和レベル以下となるように算出するとともに、入力された映像信号に対してローパスフィルタリングを行った信号、及び、輝度成分をローパスフィルタリングした信号に基づき算出すること
を特徴とする請求項７記載の映像信号処理方法。
【発明の詳細な説明】
【技術分野】
【０００１】
本発明は、ニー補正処理を行う映像信号処理装置及び方法に関するものである。
【背景技術】
【０００２】
従来行われてきたニー補正では、大きく分けてＲ、Ｇ、Ｂ毎にそれぞれニー補正をかける補正手法（以後、ＲＧＢニー補正という。）と、輝度信号を生成してその輝度信号に応じてニー補正を行う手法（以後、輝度ニー補正と呼ぶ。）がある。
【０００３】
ＲＧＢニー補正では、色信号毎にニー補正が行われるため、ニー補正を行うと高輝度で色が回ってしまうという欠点がある。
【０００４】
輝度ニー補正では、輝度信号に対してニー補正が行われるため、色の回りは抑えられる。しかし、輝度ニー補正では同時に彩度絞り処理を行う必要があるので、その彩度絞り処理の影響により高輝度領域で色がなくなってしまうという欠点がある。輝度ニー補正における高輝度領域での色付改善のため、通常は彩度絞り処理時に退色を抑制するが、このような退色抑制をした彩度絞り処理をしたとしても、色によって残り方が異なるなど見え方に不自然さが残る。
【発明の開示】
【発明が解決しようとする課題】
【０００５】
本発明は、色相の回転及び色付の不自然さを最適に調整したニー補正処理を行うことができる映像信号処理装置及び方法を提供することを目的とする。
【課題を解決するための手段】
【０００６】
本発明に係る映像信号処理装置は、映像信号に対して、色成分毎に独立のニー補正を行う第１のニー補正手段と、映像信号に対して、輝度成分に応じたニー補正を行う第２のニー補正手段と、上記第１のニー補正手段から出力された映像信号と、上記第２のニー補正手段から出力された映像信号とを合成する合成手段とを備え、上記第１のニー補正手段と上記第２のニー補正手段は、入力された同一の映像信号に対して並列に処理を行い、上記合成手段は、所定の比率又は適応的に設定された比率に応じて２つの映像信号を合成して出力する。
【０００７】
本発明に係る映像信号処理方法は、色成分毎に独立のニー補正を行う第１のニー補正処理並びに輝度成分に応じたニー補正を行う第２のニー補正処理を、入力された映像信号に対して並列に行い、第１のニー補正処理がされた映像信号と第２のニー補正処理がされた映像信号とを、所定の比率又は適応的に設定された比率に応じて合成することを特徴とする。
【発明の効果】
【０００８】
本発明に係る映像信号処理装置及び方法では、色成分毎に独立のニー補正を行う第１のニー補正処理並びに輝度成分に応じたニー補正を行う第２のニー補正処理を、入力された映像信号に対して並列に行い、第１のニー補正処理がされた映像信号と第２のニー補正処理がされた映像信号とを、所定の比率又は適応的に設定された比率に応じて合成する。
【０００９】
このことにより本発明では、色相の回転及び色付の不自然さを最適に調整したニー補正処理を行うことができる。
【発明を実施するための最良の形態】
【００１０】
以下、本発明が適用された電子式のビデオカメラ（以下、単にビデオカメラという。）について説明する。
【００１１】
ビデオカメラの構成
図１に、本発明が適用されたビデオカメラ１のブロック構成図を示す。
【００１２】
ビデオカメラ１は、レンズユニット２と、撮像素子３と、アナログ処理及びＡＤ変換部４とを備えている。また、ビデオカメラ１は、欠陥補正部５と、カメラ信号処理部６と、フレーム処理部７と、ニー補正/ガンマ補正部８と、出力部９とを備えている。
【００１３】
レンズユニット２は、フォーカスレンズ、ズームレンズ及び絞り羽根等並びにこれらレンズ等を駆動する駆動部が設けられている。レンズユニット２は、撮像対象となる被写体像光を受光して撮像素子３の受光面上に結像させる。
【００１４】
撮像素子３は、Ｃ−ＭＯＳイメージセンサやＣＣＤイメージセンサ等の固体撮像素子である。撮像素子３は、受光面にマトリクス状に配置された単位画素を有しており、各単位画素が照射された光を光電変換する。撮像素子３は、マトリクス状に配置された単位画素をスキャンして電気信号を読み出すことにより、撮像信号を出力する。撮像素子３により読み出された撮像信号は、アナログ処理及びＡ/Ｄ変換部４に供給される。
【００１５】
アナログ処理及びＡ/Ｄ変換部４は、撮像素子３から出力された信号に対してクランプや増幅処理等のアナログ処理を行い、Ａ/Ｄ変換を行ってデジタル化する。
【００１６】
欠陥補正部５には、アナログ処理及びＡＤ変換部４によりデジタル化された撮像信号が入力される。欠陥補正部５は、撮像素子３の受光面に配置された画素に欠陥が生じていた場合、その欠陥部分の撮像信号を補正する回路である。欠陥補正部５により欠陥補正処理がされた撮像信号は、カメラ信号処理部６に供給される。
【００１７】
カメラ信号処理部６は、ホワイトバランス処理、収差補正処理、シェーディング処理等の処理等を行う。これらの処理がされた撮像信号は、フレーム処理部７に供給される。
【００１８】
フレーム処理部７は、撮像信号に対するフレーム（フィールド）単位の処理を行う。例えば、フレームスピードの調整、インターレースで読み出された撮像信号をプログレッシブの撮像信号に変換する処理（ＩＰ変換処理）等を行う。フレーム（フィールド）単位の処理がされた撮像信号は、ニー補正/ガンマ補正部８に供給される。
【００１９】
ニー補正/ガンマ補正部８は、撮像信号に対してニー補正及びガンマ補正を行う。ニー補正及びガンマ補正がされた撮像信号は、出力部９に供給される。
【００２０】
出力部９は、入力された撮像信号を、所定の映像フォーマットに対応した信号に変換して外部に出力をする。
【００２１】
ニー補正回路（第１の構成例）
つぎに、ニー補正/ガンマ補正部８内のニー補正回路について説明をする。
【００２２】
ニー補正とは、映像信号のダイナミックレンジを圧縮し、その圧縮の際にニー特性に応じた非線形変換を行う処理である。すなわち、ニー補正とは、あるレベル以上の高輝度部分の映像信号については高い圧縮率で圧縮するような非線形圧縮処理である。
【００２３】
（ニー補正回路の全体構成）
図２は、本発明が適用されたニー補正回路１０のブロック構成図である。
【００２４】
ニー補正回路１０は、図２に示すように、ＲＧＢニー補正回路１１と、輝度ニー補正回路１２と、彩度絞り回路１３と、合成回路１４とを備えている。
【００２５】
ニー補正回路１０には、映像信号（Ｒ（赤色）信号、Ｇ（緑色）信号、Ｂ（青色）信号）が入力される。入力された映像信号は、輝度ニー補正回路１１及びＲＧＢニー補正回路１２のそれぞれに並列に入力される。
【００２６】
ＲＧＢニー補正回路１１は、入力された映像信号に対して、ＲＧＢニー補正処理を行う。すなわち、ＲＧＢニー補正回路１１は、入力された映像信号に対して、Ｒ信号、Ｇ信号、Ｂ信号のそれぞれに対して独立にニー補正を行う。従って、ＲＧＢニー補正回路１１では、退色が少ないニー補正処理を行うことができる。
【００２７】
輝度ニー補正回路１２は、入力された映像信号に対して、輝度ニー補正処理を行う。すなわち、輝度ニー補正回路１２は、入力された映像信号から輝度信号を生成し、当該輝度信号に基づきニー特性に応じた補正係数を求め、当該補正係数に基づき入力された映像信号に対してニー補正を行う。従って、輝度ニー補正回路１２では、色相の回転の少ないニー補正処理を行うことができる。
【００２８】
彩度絞り回路１３には、輝度ニー補正回路１２により輝度ニー処理が施された映像信号が入力される。彩度絞り回路１３は、各色信号が飽和レベル以下となるように、彩度を維持した状態でレベルの減衰をさせる回路である。Ｒ信号、Ｇ信号及びＢ信号には、飽和レベルが設定されているが、輝度ニー補正処理を行った結果、Ｒ信号、Ｇ信号及びＢ信号のいずれかがその飽和レベルを超えてしまう可能性がある。彩度絞り回路１３は、Ｒ信号、Ｇ信号及びＢ信号のいずれかが飽和レベルを超えた場合に、Ｒ信号、Ｇ信号及びＢ信号を全体的にレベルを下げる処理を行うものである。
【００２９】
合成回路１４には、ＲＧＢニー補正回路１１から出力された映像信号と、彩度絞り回路１３から出力された映像信号とが入力される。すなわち、合成回路１４には、ＲＧＢニー補正がされた映像信号と、輝度ニー補正がされた映像信号とが入力される。
【００３０】
合成回路１４は、入力された２つの映像信号を、混合比Ｇｂで合成する。
【００３１】
すなわち、ＲＧＢニー補正回路１１から出力された映像信号（Ｒ信号、Ｇ信号及びＢ信号）をR_k，G_k，B_kとし、彩度絞り回路１３から出力された映像信号（Ｒ信号、Ｇ信号及びＢ信号）をR_ks，G_ks，B_ksとし、合成回路１４から出力される合成映像信号（Ｒ信号、Ｇ信号及びＢ信号）をR_out，G_ out，B_ outとすると、合成回路１４は、下記式１１に示すような演算を行う。
【００３２】
【数１】
2006148368.tif 000003
【００３３】
なお、Ｇｂは、０以上１以下の範囲の値である。Ｇｂは、固定値として与えてもよいし、ユーザの好みの彩度に応じて適応的に変化させてもよいし、ユーザの好みの色に応じて適応的に変化させてもよい。このようにＧｂにより合成率を変化させることにより、ＲＧＢニー補正による色相の回りと、輝度ニー補正の色つきの不自然さのトレードオフを取った信号を得ることが可能になる。
【００３４】
以上のように本発明が適用されたニー補正回路１０では、ＲＧＢニー補正処理と輝度ニー補正処理とを並列に行い、所定又は適応的に設定された混合比でこれらを合成して出力する。このため、ニー補正回路１０では、色相の回転及び色付の不自然さを最適に調整することができる。
【００３５】
（ＲＧＢニー補正回路）
つぎに、ＲＧＢニー補正回路１１の内部構成について説明をする。
【００３６】
図３は、ＲＧＢニー補正回路１１のブロック構成図である。
【００３７】
ＲＧＢニー補正回路１１は、図３に示すように、ＲＧＢニー演算回路２１と、係数算出回路２２と、ローパスフィルタ（ＬＰＦ）２３とを備えている。
【００３８】
ＲＧＢニー演算回路２１は、入力された映像信号（R,G,B）に対してＲＧＢニー補正演算を行う回路である。
【００３９】
係数算出回路２２は、ＲＧＢニー補正演算のための係数を算出する回路である。係数算出回路２２は、補正対象となる映像信号（R,G,B）が入力され、この映像信号（R,G,B）に基づき係数を算出し、実際の演算処理を行うＲＧＢニー演算回路２１に与えている。係数算出回路２２は、ニー特性に近似した近似曲線の係数を、入力された画素値に応じて発生する。具体的には、係数算出回路２２は、ある映像信号の画素値（R,G,B）に応じて、ニー特性に近似した一次直線の傾きKSr、KSg、KSb及び切片KYr、KYg、KYbを発生する。
【００４０】
ＲＧＢニー演算回路２１は、係数算出回路２２から発生された傾きKSr、KSg、KSbをそれぞれＲ信号、Ｇ信号、Ｂ信号に乗算し、さらに、その乗算結果にそれぞれ切片（KYr、KYg、KY b）を加算することにより、補正を行う。すなわち、ＲＧＢニー演算回路２１は、下記式２１に示す演算を行う。
【００４１】
【数２】
2006148368.tif 000004
【００４２】
式（２１）において、R_k、G_k、B_kはニー補正後のＲ信号、Ｇ信号及びＢ信号である。
【００４３】
また、ローパスフィルタ２３は、係数算出回路２２に入力される入力映像信号に対して、ローパスフィルタリングを行う回路である。ニー補正及び彩度絞りでは、非線形処理が行われているため、特に高域成分では折り返しが発生する可能性がある。これを防ぐために、ＲＧＢニー補正回路１１では、ローパスフィルタ２３を設けて、映像信号の低域成分を用いて係数生成をしている。
【００４４】
（輝度ニー補正回路）
つぎに、輝度ニー演算回路１２の内部構成について説明をする。
【００４５】
図４は、輝度ニー演算回路１２のブロック構成図である。
【００４６】
輝度ニー演算回路１２は、図４に示すように、輝度ニー演算回路３１と、係数算出回路３２と、ローパスフィルタ（ＬＰＦ）３３とを備えている。
【００４７】
輝度ニー演算回路３１は、入力された映像信号（R,G,B）に対して輝度ニー補正演算を行う回路である。
【００４８】
係数算出回路３２は、輝度ニー補正演算のための係数kw及び退色を防ぐための係数Kw'を算出する回路である。係数算出回路３２は、補正対象となる映像信号（R,G,B）が入力され、この映像信号（R,G,B）に基づき係数を算出し、実際の演算処理を行う輝度ニー演算回路３１に与えている。
【００４９】
係数算出回路３２は、輝度ニー補正演算のための係数kw及び退色を防ぐための係数Kw'を、次のように算出する。
【００５０】
係数算出回路３２は、まず、入力された映像信号（R,G,B）から輝度信号（Y）を生成するとともに、入力された映像信号（R,G,B）の最大の色信号を示す信号NAMYを生成する。続いて、係数算出回路３２は、信号NAMYから輝度信号Yを減算し、その減算信号に対して所定の係数である係数KNAMを乗算し、その乗算結果に輝度信号Yを加算し、下式（３１）に示すような合成輝度信号Mix_Yを求める。
【００５１】
【数３】
2006148368.tif 000005
【００５２】
係数算出回路３２は、生成した合成輝度信号（Mix_Y）に応じて、ニー特性に近似した一次直線の傾きKS及び切片KYを発生する。
【００５３】
係数算出回路３２は、このMix_Yに対して、発生した係数（傾きKS、切片KY）に用いてニー補正をかけ、下式（３２）のような、ニー補正後の輝度値Y_ykを求める。
【００５４】
【数４】
2006148368.tif 000006
【００５５】
係数算出回路３２は、下式（３３）に示すように、ニー補正後の輝度値Y_ykを輝度値Mix_により除算して、映像信号（R,G,B）に対して輝度ニー補正演算を行うための係数kwを算出する。
【００５６】
【数５】
2006148368.tif 000007
【００５７】
さらに、係数算出回路３２は、退色を防ぐための係数として、係数Kw'を下式（３４）のように求める。
【００５８】
【数６】
2006148368.tif 000008
【００５９】
係数算出回路２２は、以上のように係数Kw及び係数Kw'を算出し、輝度ニー演算回路３１に供給する。
【００６０】
そして、輝度ニー演算回路３１は、係数算出回路３２から発生された係数Kw及び係数Kw'を用いて、下式（３５）に示す演算を行い、輝度ニー補正した映像信号を出力する。
【００６１】
【数７】
2006148368.tif 000009
【００６２】
なお、R_yk、G_yk、B_ykはニー補正後のＲ信号、Ｇ信号及びＢ信号である。また、KADJは、０以上１以下の値を取る係数であり、０のときに最も退色を防ぐ効果が大きくなる。
【００６３】
また、ローパスフィルタ３３は、係数算出回路３２に入力される入力映像信号に対して、ローパスフィルタリングを行う回路である。ニー補正及び彩度絞りでは、非線形処理が行われているため、特に高域成分では折り返しが発生する可能性がある。これを防ぐために、輝度ニー演算回路１２では、ローパスフィルタ３３を設けて、映像信号の低域成分を用いて係数生成をしている。
【００６４】
（彩度絞り回路）
つぎに、彩度絞り回路１３の内部構成について説明をする。
【００６５】
図５は、彩度絞り回路１３のブロック構成図である。
【００６６】
彩度絞り回路１３は、図５に示すように、彩度絞り演算回路４１と、係数算出回路４２と、ローパスフィルタ（ＬＰＦ）４３とを備えている。
【００６７】
彩度絞り演算回路４１は、輝度ニー補正回路１２から入力された映像信号（R_yk,G_yk,B_yk）に対して、彩度絞り演算を行う回路である。
【００６８】
係数算出回路４２は、彩度絞り演算のために必要な輝度信号Y及び係数ksを算出する回路である。係数算出回路４２は、演算対象となる輝度ニー処理がされた映像信号（R_yk,G_yk,B_yk）が入力され、この映像信号（R_yk,G_yk,B_yk）に基づき係数を算出し、実際の演算処理を行う彩度絞り演算回路４１に与えている。
【００６９】
係数算出回路４２は、係数ksを次のように算出する。
【００７０】
係数算出回路４２は、輝度生成回路４４と、ＮＡＭＹ生成回路４５と、演算回路４６とを備えている。
【００７１】
輝度生成回路４４は、入力された映像信号（R_yk,G_yk,B_yk）から輝度信号Yを生成する。ＮＡＭ生成回路４５は、入力された映像信号（R_yk,G_yk,B_yk）の最大の色信号を示す信号NAMYを生成する。
【００７２】
演算回路４６には、輝度信号Y及び信号NAMYが入力されるとともに、信号TEWCが入力される。信号TEWCは、設定された飽和レベルである。
【００７３】
演算回路４６は、入力されたこれらの信号から、下記式４１に示すように、係数ksを算出する。
【００７４】
【数８】
2006148368.tif 000010
【００７５】
なお、係数ksは、０以上で１より小さい値である。
【００７６】
以上のように係数算出回路４２により算出された、係数ks及び輝度信号Yは、彩度絞り演算回路４１に供給される。
【００７７】
そして、彩度絞り演算回路４１は、係数算出回路４２から発生された係数Ks及び輝度信号yを用いて、彩度絞りの演算処理を行う。
【００７８】
彩度絞り演算回路４１は、減算回路４７と、乗算回路２８と、加算回路４９とを有している。
【００７９】
まず、彩度絞り回路４１では、減算回路４７により、入力された映像信号（R_yk,G_yk,B_yk）から輝度信号Yを減算する。続いて、乗算回路４８により、減算回路４７により減算された信号に係数ksを乗算する。続いて、加算回路４９により、係数ksが乗算された信号に、輝度信号Yを足し戻す。
【００８０】
すなわち、彩度絞り回路４１では、下式（４２）に示す演算を行い、彩度絞りをした映像信号を出力する。
【００８１】
【数９】
2006148368.tif 000011
【００８２】
また、ローパスフィルタ４３は、係数算出回路４２に入力される映像信号（R_yk,G_yk,B_yk）に対して、ローパスフィルタリングを行う回路である。彩度絞りでは、非線形処理が行われているため、特に高域成分では折り返しが発生する可能性がある。これを防ぐために、彩度絞り回路１３では、ローパスフィルタ４３を設けて、映像信号の低域成分を用いて係数生成をしている。
【００８３】
ニー補正回路（第２の構成例）
つぎに、ニー補正/ガンマ補正部８内のニー補正回路の他の構成例について説明をする。
【００８４】
ニー補正及び彩度絞りでは、非線形処理が行われているため、高域成分で折り返しが発生する可能性がある。これを防ぐ為に、上述した回路では、入力信号に対してローパスフィルタ処理をして映像信号の低域成分を抽出し、抽出した低域成分を用いて係数生成を行っている。
【００８５】
ただし、ＲＧＢニー補正処理では、映像信号の低域成分のみで係数を選択し、これをそのまま映像信号に対して演算する。一方、輝度ニー補正処理では、係数生成時に低域成分同士の除算演算（式３３）があり、結果的に低域成分の影響が相殺された係数が映像信号に演算される。このため、同じ特性のローパスフィルタを用いても、高域成分の特性が異なる。
【００８６】
本発明では、ＲＧＢニー補正処理をした映像信号と、輝度ニー補正処理をした映像信号とを混合している。そのため、高域成分の特性が異なる状態で混合すると、混合の度合いで高域成分の見え方に影響がでるなど、本来の目的以外の部分にまで影響を及ぼしてしまう可能性がある。
【００８７】
そこで、第２の構成例のニー補正回路１０では、ＲＧＢニー補正処理の高域成分の落ち込みをカバーするために、ＲＧＢニー補正処理の演算に用いる信号を低域成分のみとし、高域成分はゲインをかけて演算結果に足し戻すように修正をしたＲＧＢニー補正回路１１を用いている。
【００８８】
第２の構成例でのＲＧＢニー補正回路１１の具体的な回路構成は、図６に示すようになる。
【００８９】
すなわち、第２の構成例のＲＧＢニー補正回路１１は、図６に示すように、ＬＰＦ２３の出力信号（RL,GL,BL）をＲＧＢニー演算回路２１及び係数算出回路２２に供給するようにする。このため、ＲＧＢニー演算回路２１では、映像信号の低域成分に対してのみ、ニー補正処理を行うこととなる。
【００９０】
さらに、ＲＧＢニー補正回路１１は、図６に示すように、減算回路５１と、ゲイン回路５２と、加算回路５３とを備えている。
【００９１】
減算回路５１は、入力された映像信号（R,G,B）からローパスフィルタ２３の出力信号を減算し、高域成分の映像信号を出力する回路である。ゲイン回路５２は、減算回路５１から出力された高域成分の映像信号に対して所定のゲインを乗算する回路である。加算回路５３は、ＲＧＢニー演算回路２１から出力された低域成分に対してニー補正がされた信号に、ゲイン回路５２から出力された高域成分の映像信号を加算する回路である。
【００９２】
ＲＧＢニー補正回路１１をこのような回路構成とすることによって、近似的に輝度ニーでの除算と同様に、低域成分の影響を排除することができる。
【００９３】
また、彩度絞りにおいても同様に、色信号から輝度成分を除いた信号に輝度信号の高域成分が残っているため、輝度信号の高域成分にまで彩度絞りのゲイン演算がされてしまうことになる。
【００９４】
そこで、第２の構成例のニー補正回路１０では、輝度成分の高域特性を改善するために、彩度絞りのため係数ksの演算に用いる信号を、高域成分も含んだ輝度信号を映像信号から除去した信号とし、最終的に輝度信号をそのまま足し戻すように修正した彩度絞り回路１３を用いている。
【００９５】
第２の構成例での彩度絞り回路１３の具体的な回路構成は、図７に示すようになる。
【００９６】
すなわち、第２の構成例の彩度絞り回路１３は、図７に示すように、輝度生成回路４４に入力する映像信号をローパスフィルタ４３の出力信号とせずに、高域成分も含んだ全帯域の映像信号（R_yk,G_yk,B_yk）とする。輝度生成回路４４から出力された輝度信号Yは、彩度絞り演算回路４１の減算回路４７及び加算回路４９に供給される。
【００９７】
ただし、ＮＡＭＹ生成回路４５に入力する映像信号はローパスフィルタ４３の出力信号のままとする。
【００９８】
そして、輝度信号Yの低域成分を抽出するローパスフィルタ６１を新たに備え、係数ksを演算する演算回路４６には、高域成分が除去された輝度信号Yを供給する。
【００９９】
この結果、減算回路４７では、高域成分も含んだ輝度信号Yを入力された映像信号（R_yk,G_yk,B_yk）から減算して、その減算結果を乗算回路４８に供給する。また、係数ksは、輝度信号Yの低域成分、及び、低域成分の映像信号（R_yk,G_yk,B_yk）から抽出されたＮＡＭＹ信号により算出され、乗算回路４８に供給される。
【０１００】
つまり、乗算回路４８による演算では、輝度信号の高域成分に対して影響を与えない演算が行われる。そして、最終的に、加算回路４９で、輝度信号がそのまま足し戻される。
【０１０１】
彩度絞り回路１３をこのような回路とすることで、彩度絞りによる輝度信号の高域成分への影響を回避することができる。
【図面の簡単な説明】
【０１０２】
【図１】本発明が適用されたビデオカメラのブロック図である。
【図２】ニー補正回路のブロック図である。
【図３】ＲＧＢニー補正回路のブロック図である。
【図４】輝度ニー補正回路のブロック図である。
【図５】彩度絞り回路のブロック図である。
【図６】第２の構成例のＲＧＢニー補正回路のブロック図である。
【図７】第２の構成例の彩度絞り回路のブロック図である。
【符号の説明】
【０１０３】
１  ビデオカメラ、１０  ニー補正回路、１１  ＲＧＢニー補正回路、１２  輝度ニー補正回路、１３  彩度絞り回路
【図１】
2006148368.tif 000012
【図２】
2006148368.tif 000013
【図３】
2006148368.tif 000014
【図４】
2006148368.tif 000015
【図５】
2006148368.tif 000016
【図６】
2006148368.tif 000017
【図７】
2006148368.tif 000018